(57)【要約】【課題】ユーザに対し動作情報を容易にかつ簡素な構成で告知することのできる画像表示装置を提供すること。【解決手段】本発明のリアプロジェクタは、画像を表示する光学エンジンと、スピーカと、これらを制御する制御手段とを備え、制御手段は、リアプロジェクタの動作状態を診断するエラー診断処理部と、診断結果に基づいてエラーが発生しているか否かを判定するエラー判定部と、画像表示可能な状態であるか否かを判定し、前記画像表示手段が画像表示可能な状態でないと判定されると、出力先としてスピーカを選択する出力先選択部と、検出されたエラーを示す音声エラー情報をエラー情報テーブルから取得する音声エラー情報取得部と、音声エラー情報をスピーカに音声出力させる音声出力制御部とを備えている。【選択図】図５
2007309986.tif 000002
【特許請求の範囲】
【請求項１】
入力する画像情報に基づく画像を表示する画像表示手段と、入力する音声情報に基づく音声を出力する音声出力手段と、前記画像表示手段および前記音声出力手段を制御する制御手段とを備えた画像表示装置であって、
前記制御手段は、
当該画像表示装置の動作状態を診断する自己診断処理部と、
前記自己診断処理部で診断された診断結果に基づいて動作状態を認識する動作状態認識部と、
前記動作状態認識部で認識された動作状態を示す動作情報を音声動作情報として生成する音声生成部と、
前記音声生成部で生成された音声動作情報を前記音声出力手段から音声として出力させる音声出力制御部とを備えていることを特徴とする画像表示装置。
【請求項２】
請求項１に記載の画像表示装置であって、
前記制御手段は、
前記動作状態認識部で認識された動作状態を示す動作情報の出力先を選択する出力先選択部を備え、
前記出力先選択部は、前記画像表示手段が画像表示可能な状態であるか否かを判定し、前記画像表示手段が画像表示可能な状態でないと判定されると、出力先として前記音声出力手段を選択し、
前記音声生成部は、前記出力先選択部で前記音声出力手段が選択されると、前記動作状態認識部で認識された動作状態を示す動作情報を音声動作情報として生成し、
前記音声出力制御部は、前記音声生成部で生成された音声動作情報を前記音声出力手段から音声として出力させることを特徴とする画像表示装置。
【請求項３】
請求項２に記載の画像表示装置であって、
入力操作に応じて前記制御手段に操作信号を出力する操作手段を備え、
前記制御手段は、
当該制御手段に入力する入力信号を取得する入力信号取得部を備え、
前記操作手段から出力された当該画像表示装置の動作情報の告知を指示する動作情報告知信号が入力されると、
前記自己診断処理部は、当該画像表示装置の動作状態を診断し、
前記動作状態認識部は、前記自己診断処理部で診断された診断結果に基づいて動作状態を認識し、
前記出力先選択部は、出力先を選択し、
前記音声生成部は、前記出力先選択部で前記音声出力手段が選択されると、前記動作状態認識部で認識された動作状態を示す動作情報を音声動作情報として生成し、
前記音声出力制御部は、前記音声生成部で生成された音声動作情報を前記音声出力手段から音声として出力させることを特徴とする画像表示装置。
【請求項４】
入力する画像情報に基づく画像を表示する画像表示手段と、入力する音声情報に基づく音声を出力する音声出力手段と、前記画像表示手段および前記音声出力手段を制御する制御手段とを備えた画像表示装置の動作状態を示す動作情報を告知する動作情報告知方法であって、
前記制御手段は、  
当該画像表示装置の動作状態を診断する自己診断処理ステップと、
前記自己診断処理ステップで診断された診断結果に基づいて動作状態を認識する動作状態認識ステップと、
前記動作状態認識部で認識された動作状態を示す動作情報の出力先を選択する出力選択ステップと、
前記出力選択ステップで出力先として音声出力手段が選択されると、前記動作情報を音声動作情報として生成する音声生成ステップと、
前記音声生成ステップで生成された音声動作情報を前記音声出力手段から音声として出力させる音声出力制御ステップとを実行し、
前記出力選択ステップは、前記画像表示手段が画像表示可能な状態であるか否かを判定し、前記画像表示手段が画像表示可能な状態でないと判定されると、出力先として前記音声出力手段を選択することを特徴とする画像表示装置の動作情報告知方法。
【請求項５】
入力する画像情報に基づく画像を表示する画像表示手段と、入力する音声情報に基づく音声を出力する音声出力手段と、前記画像表示手段および前記音声出力手段を制御する制御手段とを備えた画像表示装置の動作状態を示す動作情報を告知するコンピュータ実行可能な動作情報告知プログラムであって、
前記制御手段に、
当該画像表示装置の動作状態を診断する自己診断処理ステップと、
前記自己診断処理ステップで診断された診断結果に基づいて動作状態を認識する動作状態認識ステップと、
前記動作状態認識部で認識された動作状態を示す動作情報の出力先を選択する出力選択ステップと、
前記出力選択ステップで出力先として音声出力手段が選択されると、前記動作情報を音声動作情報として生成する音声生成ステップと、
前記音声生成ステップで生成された音声動作情報を前記音声出力手段から音声として出力させる音声出力制御ステップとを実行させ、
前記出力選択ステップは、前記画像表示手段が画像表示可能な状態であるか否かを判定し、前記画像表示手段が画像表示可能な状態でないと判定されると、出力先として前記音声出力手段を選択することを特徴とする動作情報告知プログラム。
【請求項６】
請求項５に記載の動作情報告知プログラムがコンピュータ読取可能に記録されたことを特徴とする記録媒体。
【発明の詳細な説明】
【技術分野】
【０００１】
本発明は、画像表示装置、画像表示装置の動作情報告知方法、動作情報告知プログラム、および、記録媒体に関する。
【背景技術】
【０００２】
従来、入力する画像情報に基づく画像を表示するプラズマディスプレイ、液晶ディスプレイ、ＣＲＴ（Cathode Ray Tube）ディスプレイ、リアプロジェクタ等の画像表示装置が知られている。
このような画像表示装置のうち、例えば、チューナの受信不良やインターフェイスの接続端子の接続不良など、画像表示装置の各構成に不具合（エラー）が生じた際、当該エラーの内容を示すエラーコードまたはエラー情報を、スクリーン上に表示してユーザに告知する画像表示装置が知られている。
しかしながら、画像表示装置の各構成のうち、画像表示処理を行う画像表示手段にエラーが生じるなどして、スクリーンに画像を表示できない状態の場合、画像表示装置は、エラーコードやエラー情報をユーザに告知することができない。
【０００３】
これに対し、エラーが検出された際に、内部の各構成に対して自己診断処理を行い、この自己診断結果を、インターフェイスのメモリスロットを介してメモリカードに出力したり、内蔵の記憶装置に記録したりする記録再生装置が知られている（例えば、特許文献１参照）。
【０００４】
【特許文献１】特開平５−２５０７６４号公報
【発明の開示】
【発明が解決しようとする課題】
【０００５】
しかしながら、従来の画像表示装置が、特許文献１に記載の記録再生装置と同様の機能を備えていたとしても、以下のような課題が生じる。
まず、自己診断処理の際にエラーが検出され、そのエラー情報がメモリカードに出力されたとしても、ユーザが、メモリカード内の情報を読むためのコンピュータを所有していなければ、ユーザはエラー情報を見ることができない。
そもそも、メモリカードにエラー情報を出力するには、画像表示装置のインターフェイスにメモリスロットを備えなければならず、画像表示装置のコストアップや構造の複雑化に繋がる。
また、エラー情報が内部の記憶装置に記録されたとしても、そのエラー情報を見るためには、画像表示装置を修理店等に持ち込まなければならず、画像表示装置が大型である場合は運搬に手間を要する。さらに、修理店に画像表示装置を持ち込んだとしても、ユーザがエラー情報を見ることができるわけではない。
【０００６】
本発明の目的は、ユーザに対し動作情報を容易にかつ簡素な構成で告知することのできる画像表示装置、画像表示装置の動作情報告知方法、動作情報告知プログラム、および、記録媒体を提供することである。
【課題を解決するための手段】
【０００７】
前記した目的を達するために、本発明の画像表示装置は、入力する画像情報に基づく画像を表示する画像表示手段と、入力する音声情報に基づく音声を出力する音声出力手段と、前記画像表示手段および前記音声出力手段を制御する制御手段とを備えた画像表示装置であって、前記制御手段は、当該画像表示装置の動作状態を診断する自己診断処理部と、前記自己診断処理部で診断された診断結果に基づいて動作状態を認識する動作状態認識部と、前記動作状態認識部で認識された動作状態を示す動作情報を音声動作情報として生成する音声生成部と、前記音声生成部で生成された音声動作情報を前記音声出力手段から音声として出力させる音声出力制御部とを備えていることを特徴とする。
【０００８】
ここで、画像表示装置として、例えば、フロントプロジェクタ、リアプロジェクタ、プラズマディスプレイ、液晶ディスプレイ、ＣＲＴ（Cathode Ray Tube）ディスプレイ等が挙げられる。
また、動作情報として、エラー（不具合）発生時のエラーコード、および、エラー発生箇所やエラー内容を示すエラー情報、画像表示装置内に搭載されているソフトウェアのバージョン情報、各構成の使用積算時間等が挙げられる。
【０００９】
本発明によれば、自己診断処理部が当該画像表示装置の動作状態を診断し、その診断結果に基づいて、動作状態認識部が動作状態の認識、例えば、エラーが発生しているか否かの判定や、動作状態を示す動作情報の取得等を行う。次に、音声生成部が、認識された動作状態を示す動作情報を音声情報として生成し、音声出力制御部が当該音声動作情報を音声出力手段から音声として出力させる。
すなわち、本発明の画像表示装置は、その動作情報を音声でユーザに告知することができる。従って、特許文献１に記載の再生装置のように、動作情報をメモリカードに出力したり、内蔵の記憶装置に記録したりしないので、ユーザが動作状態を知るために、コンピュータを用いたり、画像表示装置を修理店に持ち込む必要はない。従って、画像表示装置の動作状態をユーザに容易に告知することができる。
さらに、本発明の画像表示装置は、動作情報をメモリカードに出力するためのメモリスロット等を備える必要はないため、構成を簡素なものとし、かつ、コスト抑制を図ることができる。
【００１０】
本発明では、前記制御手段は、前記動作状態認識部で認識された動作状態を示す動作情報の出力先を選択する出力先選択部を備え、前記出力先選択部は、前記画像表示手段が画像表示可能な状態であるか否かを判定し、前記画像表示手段が画像表示可能な状態でないと判定されると、出力先として前記音声出力手段を選択し、前記音声生成部は、前記出力先選択部で前記音声出力手段が選択されると、前記動作状態認識部で認識された動作状態を示す動作情報を音声動作情報として生成し、前記音声出力制御部は、前記音声生成部で生成された音声動作情報を前記音声出力手段から音声として出力させることが好ましい。
【００１１】
本発明によれば、出力先選択部が、画像表示手段が画像表示可能な状態であるか否かを判定し、画像表示手段が画像表示可能な状態でないと判定されると、動作情報の出力先として音声出力手段を選択する。この選択を受けて、音声生成部が、動作情報を音声情報として生成し、音声出力制御部が当該音声動作情報を音声出力手段から音声として出力させる。
従って、画像表示手段が画像を表示できない場合、動作情報を音声で告知するため、ユーザに確実に伝えることができる。
【００１２】
本発明では、入力操作に応じて前記制御手段に操作信号を出力する操作手段を備え、前記制御手段は、当該制御手段に入力する入力信号を取得する入力信号取得部を備え、前記操作手段から出力された当該画像表示装置の動作情報の告知を指示する動作情報告知信号が入力されると、前記自己診断処理部は、当該画像表示装置の動作状態を診断し、前記動作状態認識部は、前記自己診断処理部で診断された診断結果に基づいて動作状態を認識し、前記出力先選択部は、出力先を選択し、前記音声生成部は、前記出力先選択部で前記音声出力手段が選択されると、前記動作状態認識部で認識された動作状態を示す動作情報を音声動作情報として生成し、前記音声出力制御部は、前記音声生成部で生成された音声動作情報を前記音声出力手段から音声として出力させることが好ましい。
【００１３】
本発明によれば、入力信号取得部が、操作手段から出力された動作情報告知信号を取得すると、自己診断処理部が、動作状態の診断を実行する。すなわち、動作情報告知信号を受けて動作状態の診断を実行することから、本発明の画像表示装置は、ユーザが知りたい動作状態に基づいて適切に診断処理を実行することができ、ユーザが知りたい動作状態を示す動作情報を告知することができる。
【００１４】
本発明の動作情報告知方法は、入力する画像情報に基づく画像を表示する画像表示手段と、入力する音声情報に基づく音声を出力する音声出力手段と、前記画像表示手段および前記音声出力手段を制御する制御手段とを備えた画像表示装置の動作状態を示す動作情報を告知する動作情報告知方法であって、前記制御手段は、当該画像表示装置の動作状態を診断する自己診断処理ステップと、前記自己診断処理ステップで診断された診断結果に基づいて動作状態を認識する動作状態認識ステップと、前記動作状態認識部で認識された動作状態を示す動作情報の出力先を選択する出力選択ステップと、前記出力選択ステップで出力先として音声出力手段が選択されると、前記動作情報を音声動作情報として生成する音声生成ステップと、前記音声生成ステップで生成された音声動作情報を前記音声出力手段から音声として出力させる音声出力制御ステップとを実行し、前記出力選択ステップは、前記画像表示手段が画像表示可能な状態であるか否かを判定し、前記画像表示手段が画像表示可能な状態でないと判定されると、出力先として前記音声出力手段を選択することを特徴とする。
【００１５】
本発明によれば、前述した画像表示装置の作用および効果と同様の作用および効果を享受することができる。さらに、本発明を動作情報告知方法として構成したので、任意の画像表示装置で実行されることができる。つまり、本発明の動作情報告知方法を用いて画像表示装置の動作情報告知処理を行うことにより、前述した本発明の画像表示装置の作用および効果を享受することができるので、汎用性を拡大することができる。
【００１６】
また、本発明は、前記動作情報告知方法の発明を画像表示装置の制御手段上で実行させる動作情報告知プログラムとしても構成することができる。
本発明によれば、前述した本発明の動作情報告知方法をプログラムとして構成することにより、任意の画像表示装置を、前述した作用および効果を享受できる画像表示装置とすることができるので、汎用性を拡大することができる。
【００１７】
本発明の記録媒体は、前記動作情報告知プログラムがコンピュータ読取可能に記録されていることを特徴とする。
ここで、記録媒体として、ＦＲＯＭ（Flash Read Only Memory）等の半導体メモリ、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク等が挙げられる。
本発明によれば、記録媒体にコンピュータ読取可能に記録された前記動作情報告知プログラムを、任意の画像表示装置に内蔵された制御手段が実行することで、前述した作用および効果を享受できる。
【発明を実施するための最良の形態】
【００１８】
図を用いて、本発明の一実施形態を説明する。本実施形態では、画像表示装置としてリアプロジェクタ１を採用する。
リアプロジェクタ１は、光源ランプ２１１から射出された光束を画像情報に応じて変調して光学像を形成し、当該光学像をスクリーンに投射する光学機器である。
リアプロジェクタ１は、画像情報に応じた光学像の形成、および、光学像の投射を行う画像表示手段としての光学エンジン２と、光学エンジン２から投射された投射画像が投影されるスクリーン（図示略）等を備えている。
【００１９】
〔光学エンジン２の構成〕
図１は、光学エンジン２の光学系の構成を示す模式平面図である。
光学エンジン２は、光源装置２１と、インテグレータ照明光学系２２と、色分離光学系２３と、リレー光学系２４と、光学装置２５と、投射レンズ２６と、これらを内部に収納する光学部品用筐体（図示略）と、投射レンズ２６を保持固定するヘッド体（図示略）とを備えて構成されている。
【００２０】
光源装置２１は、高圧放電ランプからなる光源ランプ２１１と、リフレクタ２１２と、防爆ガラス２１３と、これらを内部に収納するランプハウジング（図示略）とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
【００２１】
このうち、光源ランプ２１１は、ガラスから成る放電管と、放電管内に対向して配置された陽極電極および陰極電極とを備えている。放電管には、水銀および希ガス等が封入されている。両電極は、高融点金属棒から成り、それぞれ導通を得るためのタングステン棒およびリード線等が接続されている。
本実施形態では、高圧水銀ランプを採用しているが、メタルハライドランプやハロゲンランプ等を採用することもできる。
また、リフレクタ２１２としては、放物面鏡を採用しているが、放物面鏡の代わりに、平行化凹レンズおよび楕円面鏡を組み合わせたものを採用してもよい。
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００２２】
インテグレータ照明光学系２２は、光学装置２５を構成する後述する３つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えている。
【００２３】
第１レンズアレイ２２１は、入射光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２４】
具体的には、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたリアプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２５】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の３色の色光に分離する機能を有している。
リレー光学系２４は、入射側レンズ２４１と、リレーレンズ２４３と、反射ミラー２４２，２４４とを備え、色分離光学系２３で分離された色光である赤色光を光学装置２５の後述する赤色光用の液晶パネル２５１Ｒまで導く機能を有している。
【００２６】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００２７】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００２８】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、３つの色光のうち赤色光を通す構成としたが、これに限らず、例えば、青色光、緑色光を通す構成としてもよい。
【００２９】
光学装置２５は、入射された光束を画像情報に応じて変調してカラー画像を形成するものである。光学装置２５は、色分離光学系２３で分離された各色光が入射される３つの入射側偏光板２５２と、各入射側偏光板２５２の光路後段に配置される３つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される３つの射出側偏光板２５３と、クロスダイクロイックプリズム２５４とを備える。
【００３０】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
液晶パネル２５１は、一対の透明ガラス基板に電気光学物質である液晶が密閉封入された構成を有し、後述する制御基板５から出力される制御信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３１】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、４つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した緑色光を透過する。このようにして、各液晶パネル２５１Ｒ，２５１Ｇ，２５１Ｂにて変調された各色光が合成され、カラー画像が形成される。
【００３２】
投射レンズ２６は、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置され、後述するヘッド体に固定されている。
【００３３】
光学部品用筐体は、内部に所定の照明光軸Ａが設定され、上述した光学部品２４〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３４】
〔リアプロジェクタ１の内部構成〕
図２は、リアプロジェクタ１の内部構成を示すブロック図である。
リアプロジェクタ１は、外装筐体と、外装筐体内部に収納された光学エンジン２、光学エンジン２を冷却する冷却ユニット（図示略）、音声出力手段としてのスピーカ３、温度センサ４、各構成に電力を供給する電源ユニット（図示略）、および、これら各構成の制御を行う制御手段としての制御基板５と、リアプロジェクタ１本体を無線信号により遠隔操作する操作手段としてのリモートコントローラ６とを備えている。
【００３５】
このうち、スピーカ３は、制御基板５から出力される音声情報に応じた音声を生成し、生成された音声を外装筐体に形成された放音孔を通して外部へ出力する。
温度センサ４は、光源ランプ２１１を収納するランプハウジング内壁に取り付けられている。温度センサ４は、光源ランプ２１１近傍のランプ温度を、温度特性を有するサーミスタの抵抗値として検出し、検出された抵抗値データを制御基板５に出力する。
リモートコントローラ６は、複数の操作キーを備え、ユーザにより操作キーが押下されると、当該入力キーに応じた操作信号を赤外線によりリアプロジェクタ１本体に送信する。なお、リモートコントローラ６は、電波によって操作信号を送信する構成でもよい。
操作信号として、例えば、電源の投入／遮断を指示する電源オン／オフ信号や、リアプロジェクタ１の内部情報の告知を指示する内部情報告知信号（動作情報告知信号）などが挙げられる。
内部情報としては、例えば、光源ランプ２１１の使用積算時間であるランプ積算時間、ＥＰＧ情報に基づく番組情報、および、リアプロジェクタ１に搭載されている各種プログラムのバージョン情報等が挙げられる。内部情報は、本発明の動作情報に相当する。
【００３６】
〔制御基板５の構成〕
制御基板５は、図２に示すように、ＣＰＵ（Central Processing Unit）５１と、ＦＲＯＭ（Flash Read Only Memory）５２と、ＲＡＭ（Random Access Memory）５３と、チューナ５４と、デマルチプレクサ５５と、画像処理回路５６と、液晶パネル制御回路５７と、音声処理回路５８と、信号インターフェイス（信号Ｉ／Ｆ）５９とを備えている。
このうち、ＦＲＯＭ５２は、ＣＰＵ５１によって処理されるプログラムや各種データが格納されている。具体的には、ＦＲＯＭ５２には、リアプロジェクタ制御プログラムや、後述する自己診断プログラム、動作情報告知プログラム、メッセージテーブル５２１、エラー情報テーブル５２２、番組テーブル（図示略）、ランプ積算時間、および、各種プログラムのバージョン情報等が格納されている。
ＲＡＭ５３は、ＣＰＵ５１の作業メモリとして利用され、各種データが一時的に記憶される。
【００３７】
チューナ５４は、アンテナ１１を介して受信されるテレビジョン放送信号のうち、ユーザが選択したチャンネルに応じた周波数のテレビジョン放送信号を選択して受信し、一定周波数の信号に変換してデマルチプレクサ５５に出力する。さらに、チューナ５４は、テレビジョン放送信号と併せて配信されるＥＰＧ（Electronic Program Guide）情報等も受信する。
デマルチプレクサ５５は、チューナ５４により変換された信号から、画像情報、音声情報、および、ＥＰＧ情報を分離、抽出する。これらのうち、画像情報は、画像処理回路５６に出力され、音声情報は、音声処理回路５８に出力され、ＥＰＧ情報は、ＣＰＵ５１に出力される。
【００３８】
画像処理回路５６は、デマルチプレクサ５５から出力された画像情報に対して、光学エンジン２の液晶パネル２５１の仕様に適応する画像情報に変換する。
具体的には、画像処理回路５６は、デマルチプレクサ５５から入力するデジタル画像情報に対し、デコード処理、ガンマ補正処理、および、後述するＣＰＵ５１から出力される処理条件に従って、画像サイズの調整や表示画面形成等の描画処理を行う。その後、画像処理回路５６は、処理を施した画像情報を液晶パネル制御回路５７に出力する。
液晶パネル制御回路５７は、画像処理回路５６より入力する画像情報に基づいて、光学エンジン２の液晶パネル２５１に制御信号を出力して駆動する。すると、光学エンジン２では、光源ランプ２１１から出力された光束が、液晶パネル２５１によって変調され、前記画像情報に応じた光学像が形成される。
【００３９】
音声処理回路５８は、デマルチプレクサ５５およびＣＰＵ５１から入力するデジタル形式の音声情報を、アナログ形式に変換してスピーカ３に出力する。
信号Ｉ／Ｆ５９は、リモートコントローラ６から送信された赤外線の操作信号を受信し、デジタル形式の電気信号に変換してＣＰＵ５１に出力する。
【００４０】
〔ＣＰＵ５１の機能的構成〕
図３は、ＣＰＵ５１の機能的構成を示すブロック図である。
ＣＰＵ５１は、入力信号取得部５１１と、電源オン処理部５１２と、電源オフ処理部５１３と、ＥＰＧ処理部５１４と、ランプ温度取得部５１５と、ランプ積算時間処理部５１６と、動作情報告知処理部７と、タイマ５１８とを備えている。
【００４１】
このうち、入力信号取得部５１１は、リモートコントローラ６から信号Ｉ／Ｆ５９を介して入力される操作信号や、光学エンジン２、温度センサ４、電源ユニットおよび冷却ユニットから出力される入力信号を検出し、入力信号が指示する内容を認識する。
電源オン処理部５１２は、リモートコントローラ６から出力される電源オン信号に応じて、リアプロジェクタ１の電源オン処理を行う。具体的には、電源オン処理部５１２は、初期データに基づき各構成の初期化処理を実行し、光源ランプ２１１を点灯させる。
電源オフ処理部５１３は、リモートコントローラ６から出力される電源オフ信号に応じて、リアプロジェクタ１の電源オフ処理を行う。具体的には、電源オフ処理部５１３は、駆動データの記録、光源ランプ２１１の消灯、および、光学エンジン２の冷却処理等を行う。
【００４２】
ＥＰＧ処理部５１４は、デマルチプレクサ５５から出力されたＥＰＧ情報を取得すると、ＥＰＧ情報を分類して番組テーブルを生成する。そして、ＥＰＧ処理部５１４は、生成された番組テーブルをＦＲＯＭ５２に記録する。
ランプ温度取得部５１５は、温度センサ４から出力された抵抗値データを取得し、当該抵抗値データに相当する光源ランプ２１１近傍のランプ温度を解析する。
【００４３】
ランプ積算時間処理部５１６は、光源ランプ２１１の使用積算時間（ランプ積算時間）を計数する。具体的には、ランプ積算時間処理部５１６は、リアプロジェクタ１の駆動中、タイマ５１８を制御して駆動時間を計時させ、この駆動時間を積算していくことでランプ積算時間を計数する。ランプ積算時間処理部５１６は、ランプ積算時間をＦＲＯＭ５２に記録する。
なお、光源ランプ２１１が交換されると、ランプ積算時間処理部５１６は、これまでのランプ積算時間をリセットし、新たなランプ積算時間を計数する。
音声出力制御部５１７は、音声処理回路５８を制御し、音声情報に基づく音声をスピーカ３より出力させる。
【００４４】
〔動作情報告知処理部７の機能的構成〕
図４は、動作情報告知処理部７の機能的構成を示すブロック図である。
動作情報告知処理部７は、入力信号取得部５１１（図３）が取得する信号に応じて、リアプロジェクタ１における不具合（エラー）情報、および、リアプロジェクタ１の内部情報をユーザに告知する。動作情報告知処理部７は、図４に示すように、エラー告知処理部７１と、内部情報告知処理部７２とを備えている。
エラー告知処理部７１は、リアプロジェクタ１の電源投入時、または、リアプロジェクタ１の動作中にエラーが発生した場合、当該エラーの発生箇所や内容を示すエラー情報をユーザに告知する。なお、エラー情報は本発明の動作情報に相当する。
エラー告知処理部７１は、図４に示すように、自己診断処理部としてのエラー診断処理部７１１と、動作状態認識部としてのエラー判定部７１２と、出力先選択部７１３と、画像告知処理部７１４と、音声告知処理部７１５とを備えている。
【００４５】
エラー診断処理部７１１は、入力信号取得部５１１（図３）が電源オン信号およびエラー検出信号を取得した場合、または、詳しくは後述するが、動作中にエラー診断処理時間を経過した場合、リアプロジェクタ１の各構成に対しエラー診断処理を実行する。
具体的には、エラー診断処理部７１１は、ＦＲＯＭ５２に格納された自己診断プログラムに基づいて、リアプロジェクタ１の各構成に確認信号を出力し、当該確認信号に応じた各構成からの応答信号を取得する。そして、エラー診断処理部７１１は、この応答信号の有無や内容を、エラー診断処理の診断結果として取得する。
エラー判定部７１２は、エラー診断処理部７１１で取得された診断結果に基づいて、リアプロジェクタ１の各構成にエラーが発生しているか否かを判定する。
【００４６】
出力先選択部７１３は、エラー判定部７１２によりエラーが検出されると、スクリーン上に画像を表示可能な状態であるか否かを判定する。
画像表示可能な状態と判定すると、出力先選択部７１３は、エラー情報の出力先として光学エンジン２を選択する。一方、画像表示不可能な状態と判定すると、エラー情報の出力先として、スピーカ３を選択する。
具体的には、出力先選択部７１３は、画像処理回路５６、液晶パネル制御回路５７および光学エンジン２、ランプ温度取得部５１５に確認信号を出力し、各構成から返信される応答信号に基づいて、画像を表示可能な状態であるか否かを判定する。なお、この画像表示可能か否かの判定は、エラー診断処理部７１１により取得された診断結果に基づいて判定されてもよい。
画像表示不可能な原因として、例えば、ランプ寿命切れ、および、ランプ温度が点灯可能温度領域外にあることによる光源ランプ２１１の点灯不能や、液晶パネル２５１の損傷等が挙げられる。
【００４７】
画像告知処理部７１４は、出力先選択部７１３により画像表示可能と判定されると、エラー判定部７１２により検出されたエラーのエラーコードに基づいて、ＦＲＯＭ５２内のエラー情報テーブル５２２（図２）を探索し、当該エラーコードに対応する画像エラー情報を取得する。そして、画像告知処理部７１４は、画像処理回路５６に制御信号を出力し、当該画像エラー情報に基づく画像を形成させる。
【００４８】
音声告知処理部７１５は、音声生成部としての音声エラー情報取得部７１５１を備えている。
音声エラー情報取得部７１５１は、出力先選択部７１３により画像表示不可能と判定されると、エラー判定部７１２により検出されたエラーコードに基づいて、ＦＲＯＭ５２内のエラー情報テーブル５２２（図２）を探索し、当該エラーコードに対応する音声エラー情報を取得する。なお、音声エラー情報は、本発明の音声動作情報に相当する。
【００４９】
内部情報告知処理部７２は、入力信号取得部５１１（図３）が内部情報告知信号を取得すると、当該内部情報告知に指示された内部情報をユーザに告知する。内部情報告知処理部７２は、自己診断処理部および動作状態認識部としての内部情報診断処理部７２１と、出力先選択部７２２と、画像告知処理部７２３と、音声告知処理部７２４とを備えている。
【００５０】
内部情報診断処理部７２１は、入力信号取得部５１１により内部情報告知信号が取得されると、当該内部情報告知に指示された内部情報を取得するための内部情報診断処理を実行する。具体的には、内部情報診断処理部７２１は、ＦＲＯＭ５２に格納された自己診断プログラムに基づいて各構成に制御信号を出力し、内部情報を取得する。
出力先選択部７２２は、スクリーン上に画像を表示可能な状態であるか否かを判定する。画像表示可能な状態と判定すると、出力先選択部７２２は、内部情報の出力先として光学エンジン２を選択する。一方、画像表示不可能な状態と判定すると、内部情報の出力先としてスピーカ３を選択する。具体的な動作としては、出力先選択部７１３と同様である。
【００５１】
画像告知処理部７２３は、出力先選択部７２２により画像表示可能と判定されると、内部情報告知信号に基づいて、ＦＲＯＭ５２内のメッセージテーブル５２１（図２）を探索し、当該内部情報告知信号に対応する画像メッセージを取得する。次に、当該画像メッセージと、内部情報診断処理部７２１により取得された内部情報を示す画像とを合成し、画像内部情報を生成する。そして、画像告知処理部７２３は、画像処理回路５６に制御信号を出力し、当該画像内部情報に基づく画像を形成させる。  
【００５２】
音声告知処理部７２４は、音声生成部としての音声メッセージ取得部７２４１および音声生成部７２４２を備えている。
音声メッセージ取得部７２４１は、出力先選択部７２２により画像表示不可能と判定されると、内部情報告知信号に基づいて、ＦＲＯＭ５２内のメッセージテーブル５２１（図２）を探索し、当該内部情報告知信号に対応する音声メッセージを取得する。
音声生成部７２４２は、音声メッセージ取得部７２４１により取得された音声メッセージと、内部情報診断処理部７２１により取得された内部情報を示す音声情報とを合成し、音声内部情報を生成する。なお、音声内部情報は、本発明の音声動作情報に相当する。
【００５３】
〔制御基板５の作用〕
次に、制御基板５の作用を説明する。
図５は、制御基板５により実行される動作情報告知処理を説明するためのフロー図である。制御基板５は、ＦＲＯＭ５２に格納されている動作情報告知プログラムに基づいて動作情報告知処理を実行する。
制御基板５を構成するＣＰＵ５１において、入力信号取得部５１１は、ＣＰＵ５１に入力する入力信号を監視し、リモートコントローラ６から出力された電源オン信号が入力したか否かを判定する（Ｓ１）。電源オン信号が入力しない場合、入力信号取得部５１１は、入力信号の監視を続行する。
【００５４】
一方、電源オン信号が入力した場合、電源オン処理部５１２は、リアプロジェクタ１の電源オン処理を実行する。さらに、動作情報告知処理部７のエラー診断処理部７１１は、ＦＲＯＭ５２内の自己診断プログラムに基づき、リアプロジェクタ１の各構成に対しエラー診断処理を実行し、診断結果を取得する（Ｓ２）。
例えば、エラー診断処理部７１１は、光学エンジン２に対し、ＥＲ−２確認信号を出力し、光学エンジン２から出力されるＥＲ−２確認信号に対する応答信号を取得する。
さらに、エラー診断処理部７１１は、タイマ５１８に制御信号を出力し、エラー診断処理実行時からの経過時間を計時させる（Ｓ３）。
【００５５】
エラー判定部７１２は、処理Ｓ１で取得された診断結果に基づき、リアプロジェクタ１の各構成にエラーが発生しているか否かを判定する（Ｓ４）。
例えば、処理Ｓ１で『ＥＲ−２確認信号に対する応答信号なし』という診断結果が取得されている場合、エラー判定部７１２は、エラーコード『ＥＲ−２』のエラーが検出されたと判定する。
【００５６】
処理Ｓ４においてエラーが検出された場合、出力先選択部７１３は、スクリーン上において画像を表示可能な状態であるか否かを判定する（Ｓ５）。
まず、出力先選択部７１３は、処理Ｓ４において画像表示機能のエラーが検出されているか否かを判定する。画像表示機能のエラーが検出されている場合、出力先選択部７１３は、画像表示不可能と判定する。
一方、画像表示機能のエラーが検出されていない場合、出力先選択部７１３は、ランプ温度取得部５１５により取得されたランプ温度が、所定の点灯可能温度領域内にあるか否かを判定する。ランプ温度が点灯可能温度領域内にある場合、出力先選択部７１３は、画像表示可能と判定する。一方、ランプ温度が点灯可能温度領域外にある場合、出力先選択部７１３は、画像表示不可能と判定する。
なお、点灯可能温度領域とは、光源ランプ２１１が安定して点灯可能なランプ近傍の温度領域であり、リアプロジェクタ１の製造段階において、予めＦＲＯＭ５２に設定されている。
【００５７】
処理Ｓ５において画像表示不可能と判定されると、音声告知処理部７１５の音声エラー情報取得部７１５１は、処理Ｓ４で検出されたエラーのエラーコードに基づいて、ＦＲＯＭ５２内のエラー情報テーブル５２２を探索し、当該エラーコードに対応する音声エラー情報を取得する（Ｓ６）。
【００５８】
図６は、エラー情報テーブル５２２を模式的に示した図である。
エラー情報テーブル５２２には、図６に示すように、複数のエラーコードにそれぞれ対応するエラー情報ファイルが設定されている。１つのエラーコードに対し、エラー情報ファイルは、画像エラー情報ファイルおよび音声エラー情報ファイルの２種類が設定されている。各ファイルには、エラーコードに対応するエラー情報が画像情報または音声情報の形で記録されている。
例えば、音声エラー情報取得部７１５１は、処理Ｓ４で検出されたエラーコード『ＥＲ−２』に基づいて、エラー情報テーブル５２２を探索し、音声エラー情報として音声エラー情報ファイル『ＥＲ２.ａｖｉ』を取得する。
【００５９】
次に、音声出力制御部５１７は、スピーカ３から出力される音声の音量が消音状態にあるか否かを判定する（Ｓ７）。
消音状態にない場合、音声出力制御部５１７は、音声処理回路５８に制御信号を出力し、処理Ｓ６で取得された音声エラー情報に基づく音声を、スピーカ３より出力させる（Ｓ９）。
例えば、処理Ｓ６において音声エラー情報ファイル『ＥＲ２.ａｖｉ』が取得されていた場合、処理Ｓ７において、音声処理回路５８は、音声エラー情報ファイル『ＥＲ２.ａｖｉ』に基づいて音声処理を行い、スピーカ３から『ランプが正しくセットされていません』の音声を出力させる。
一方、消音状態にある場合、音声出力制御部５１７は、音声処理回路５８に制御信号を出力し、ユーザが聞き取りやすい適切な音量に調節させる（Ｓ８）。その後、処理Ｓ９において、音声出力制御部５１７は、音声エラー情報に基づく音声をスピーカ３より出力させる。
【００６０】
その後、処理Ｓ２４において、エラー診断処理部７１１は、タイマ５１８により計時されている経過時間を監視し、経過時間が所定のエラー診断処理時間を経過したか否かを判定する。なお、エラー診断処理時間とは、リアプロジェクタ１の動作中にエラー診断処理を自動的に実行する所定の時間間隔である。
【００６１】
一方、処理Ｓ５において画像表示可能と判定された場合、画像告知処理部７１４は、処理Ｓ４で検出されたエラーコードに基づいて、エラー情報テーブル５２２（図６）を探索し、画像エラー情報を取得する（Ｓ１０）。
例えば、画像告知処理部７１４は、処理Ｓ２で検出されたエラーコード『ＥＲ−２』に基づいて、エラー情報テーブル５２２を探索し、画像エラー情報として画像エラー情報ファイル『ＥＲ２.ｔｘｔ』を取得する。
【００６２】
次に、画像告知処理部７１４は、画像処理回路５６に制御信号を出力し、処理Ｓ１０で取得された画像エラー情報に基づく画像を形成させる（Ｓ１１）。
そして、画像処理回路５６で形成された画像に基づいて、液晶パネル制御回路５７が光学エンジン２の液晶パネル２５１に制御信号を出力する。すると、スクリーン上には、処理Ｓ１０で取得されたエラー情報が示された画像が表示される。
例えば、処理Ｓ１０において画像エラー情報ファイル『ＥＲ２.ｔｘｔ』が取得されていた場合、処理Ｓ１１において、スクリーン上に『ランプが正しくセットされていません』と記されたメッセージ画像が表示される。
【００６３】
その後、処理Ｓ２４において、エラー診断処理部７１１は、タイマ５１８により計時されている経過時間を監視し、経過時間が所定のエラー診断処理時間を経過したか否かを判定する。
【００６４】
一方、処理Ｓ４においてエラーが検出されない場合、入力信号取得部５１１は、ＣＰＵ５１に入力する入力信号を監視し、リモートコントローラ６から内部情報告知信号が入力したか否かを判定する（Ｓ１２）。内部情報告知信号が入力しない場合、処理Ｓ２４に進み、エラー診断処理部７１１は、タイマ５１８により計時されている経過時間が、所定のエラー診断処理時間を経過したか否かを判定する。
一方、内部情報告知信号が入力した場合、内部情報告知処理部７２を構成する内部情報診断処理部７２１は、ＦＲＯＭ５２（図２）内の自己診断プログラムに基づいて内部情報診断処理を実行し（Ｓ１３）、内部情報告知信号が指示する内部情報を取得する（Ｓ１４）。
例えば、処理Ｓ１２で取得された内部情報告知信号がランプ積算時間告知信号であった場合、内部情報診断処理部７２１は、ＦＲＯＭ５２に記録されている光源ランプ２１１のランプ積算時間、例えば、『１５５０』時間を取得する。
【００６５】
次に、出力先選択部７２２は、スクリーン上に画像を表示可能か否かを判定する（Ｓ１５）。具体的な処理としては、処理Ｓ５における出力先選択部７１３と同様の処理でもよいし、出力先選択部７２２が、新たに、画像表示機能に関わる各構成に確認信号を出力し、その応答信号から判定してもよい。
【００６６】
処理Ｓ１５において画像表示不可能と判定された場合、音声告知処理部７２４を構成する音声メッセージ取得部７２４１は、ＦＲＯＭ５２（図２）内のメッセージテーブル５２１を探索し、内部情報告知信号に応じた音声メッセージを取得する（Ｓ１６）。
【００６７】
図７は、メッセージテーブル５２１を模式的に示す図である。
メッセージテーブル５２１は、図７に示すように、各内部情報告知信号にそれぞれ対応するメッセージファイルが設定されている。１つの内部情報告知信号に対し、メッセージファイルは、画像メッセージファイルおよび音声メッセージファイルの２種類が設定されている。各ファイルには、内部情報告知信号に対応するメッセージが画像情報または音声情報の形で記録されている。
例えば、処理Ｓ１２でランプ積算時間告知信号が取得されていた場合、音声メッセージ取得部７２４１は、メッセージテーブル５２１を探索して、音声メッセージファイル『ＲＵＭＰ．ａｖｉ』を取得する。
【００６８】
次に、音声生成部７２４２は、処理Ｓ１４で取得された内部情報と、処理Ｓ１６で取得された音声メッセージとを合成し、音声内部情報を生成する（Ｓ１７）。
図８は、音声生成部７２４２による音声内部情報の生成過程を説明するための図である。
音声生成部７２４２は、ランプ積算時間『１５５０』[図８（Ａ）]を、音声メッセージファイル『ＲＵＭＰ．ａｖｉ』に記録された音声メッセージ『現在のランプ積算時間は、○○時間です』[図８（Ｂ）]の所定の場所に合成し、音声内部情報『現在のランプ積算時間は、１５５０時間です』[図８（Ｃ）]を生成する。
【００６９】
次に、音声出力制御部５１７は、スピーカ３から出力される音声の音量が消音状態にあるか否かを判定する（Ｓ１８）。
消音状態にない場合、音声出力制御部５１７は、音声処理回路５８に制御信号を出力し、処理Ｓ１７で生成された音声内部情報に基づく音声を、スピーカ３より出力させる（Ｓ２０）。
例えば、前述の例の場合、スピーカ３から、音声『現在のランプ積算時間は、１５５０時間です』が出力される。
一方、消音状態にある場合、音声出力制御部５１７は、音声処理回路５８に制御信号を出力し、ユーザが聞き取りやすい適切な音量に調節させる（Ｓ１９）。その後、処理Ｓ２０において、音声出力制御部５１７は、音声内部情報に基づく音声をスピーカ３より出力させる。
【００７０】
一方、処理Ｓ１５において画像表示可能と判定された場合、画像告知処理部７２３は、メッセージテーブル５２１（図７）を探索し、内部情報告知信号に応じた画像メッセージを取得する（Ｓ２１）。
例えば、処理Ｓ１２でランプ積算時間告知信号が取得されていた場合、音声メッセージ取得部７２４１は、画像メッセージファイル『ＲＵＭＰ．ｔｘｔ』を取得する。
【００７１】
次に、画像告知処理部７２３は、処理Ｓ１４で取得された内部情報と、処理Ｓ２１で取得された画像メッセージとを合成し、画像内部情報を生成する（Ｓ２２）。
画像告知処理部７２３は、前述の例の場合、内部情報としてのランプ積算時間１５５０を文字化し、画像メッセージとしての『現在のランプ積算時間は、○○時間です』に合成して、画像内部情報としての『現在のランプ積算時間は、１５５０時間です』を生成する。
そして、画像告知処理部７２３は、画像処理回路５６に制御信号を出力し、処理Ｓ２２で生成された画像内部情報に基づく画像を形成させる（Ｓ２３）。
【００７２】
その後、処理Ｓ２４において、エラー診断処理部７１１は、タイマ５１８により計時されている経過時間を監視し、経過時間が所定のエラー診断処理時間を経過したか否かを判定する。経過時間がエラー診断処理時間を経過した場合、処理Ｓ２に戻り、エラー診断処理部７１１は、エラー診断処理を実行する。
一方、経過時間がエラー診断処理時間を経過していない場合、入力信号取得部５１１は、入力信号を監視し、電源オフ信号が入力したか否かを判定する（Ｓ２５）。電源オフ信号が入力しない場合、処理Ｓ２４に戻り、エラー診断処理部７１１が、経過時間の監視を続行する。
一方、電源オフ信号が入力した場合、電源オフ処理部５１３が電源オフ処理を実行し、リアプロジェクタ１の電源を遮断する（Ｓ２６）。
【００７３】
本実施形態によれば、エラー診断処理部７１１が、リアプロジェクタ１のエラー診断処理を実行し（Ｓ２）、エラー判定部７１２が、その診断結果に基づいてエラーが発生しているか否かの判定を行う（Ｓ４）。次に、音声告知処理部７１５の音声エラー情報取得部７１５１が、エラーに対応する音声エラー情報を取得し（Ｓ６）、音声出力制御部５１７が当該音声エラー情報をスピーカ３を介して音声として出力させる（Ｓ９）。
さらに、内部情報告知信号が入力すると、当該内部情報告知信号に基づいて、内部情報診断処理部７２１が内部情報診断処理を実行し（Ｓ１３）、内部情報を取得する（Ｓ１４）。次に、音声告知処理部７２４の音声メッセージ取得部７２４１および音声生成部７２４２が、内部情報を生成し（Ｓ１６〜Ｓ１７）、音声出力制御部５１７が当該内部情報を、スピーカ３を介して音声として出力させる（Ｓ２０）。
【００７４】
すなわち、リアプロジェクタ１は、その動作情報を音声でユーザに告知することができる。従って、特許文献１に記載の再生装置のように、動作情報をメモリカードに出力したり、内蔵の記憶装置に記録したりしないので、ユーザが動作状態を知るために、コンピュータを用いたり、リアプロジェクタ１を修理店に持ち込む必要はない。従って、リアプロジェクタ１の動作状態をユーザに容易に告知することができる。
さらに、本実施形態のリアプロジェクタ１は、動作情報をメモリカードに出力するためのメモリスロット等を備える必要はないため、構成を簡素なものとし、かつ、コスト抑制を図ることができる。
【００７５】
また、出力先選択部７１３，７２２が、画像表示可能な状態であるか否かを判定し、画像表示可能な状態でないと判定されると、音声告知処理部７１５，７２４が、動作情報を音声情報として生成し、スピーカ３を介して音声として出力させる。
従って、スクリーン上に画像を表示できない場合でも、動作情報を音声で告知するため、ユーザに確実に伝えることができる。
さらに、入力信号取得部５１１が、リモートコントローラ６から出力された内部情報告知信号を取得すると、内部情報診断処理部７２１が、内部情報告知信号に基づいて動作状態の診断を実行する。すなわち、内部情報告知信号を受けて動作状態の診断を実行することから、リアプロジェクタ１は、ユーザが知りたい動作状態に基づいて適切に診断を実行することができ、ユーザが知りたい内部情報を告知することができる。
【００７６】
そして、処理Ｓ７、Ｓ１８において消音状態と判定されると、音声出力制御部５１７が音量を適切な大きさに調整する。従って、音声動作情報をユーザに確実に伝えることができる。
【００７７】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００７８】
前記実施形態では、内部情報として、ランプ積算時間および各種プログラムのバージョン情報等を挙げたが、他にも、番組テーブル内の番組情報、ランプ温度、アンテナの受信レベル、さらに、録画装置を備えている場合には録画予約情報等を内部情報として扱ってもよい。
前記実施形態では、リアプロジェクタ１は、エラー診断処理でエラーを検出すると、エラー情報を音声または画像として告知するとしたが、他にも、当該エラーに応じた対処方法、マニュアルの参照ページおよびエラーコード等を告知してもよい。
前記実施形態では、エラー診断処理は、電源オン時、および、動作中の所定のエラー診断処理時間ごとに実行するとしたが、本発明ではこれに限らず、例えば、エラー発生時や、ユーザの所望時に実行するとしてもよい。
また、前記実施形態では、エラー情報および内部情報の種類によって、音声動作情報の音量や音質を変更してもよい。
【００７９】
前記実施形態では、光学エンジン２が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル２５１を用いていたが、光入射面と光射出面とが同一となる反射型の液晶パネルを用いてもよい。
さらに、前記実施形態のリアプロジェクタ１では、３つの液晶パネル２５１Ｒ，２５１Ｇ，２５１Ｂを用いたが、本発明はこれに限らない。すなわち２つ、あるいは、４つ以上の液晶パネルを用いたプロジェクタにも、本発明を適用可能である。
【００８０】
前記実施形態では、液晶パネル２５１を備えたリアプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタに対して、本発明を適用することも可能である。このような光変調装置を用いた場合、光束入射側および光束射出側の偏光板２５２，２５３は、省略することができる。
前記実施形態では、光源ランプ２１１として高圧水銀ランプを採用しているが、本発明では、メタルハライドランプ、ハロゲンランプ、ＬＥＤ（Light Emitting Diode）、レーザ光源等を採用することもできる。
【００８１】
前記実施形態では、表示画像装置としてリアプロジェクタ１を例示したが、フロントプロジェクタ、プラズマディスプレイ、液晶ディスプレイ、ＣＲＴ（Cathode Ray Tube）ディスプレイ、および、モニタ付プリンタ等を採用してもよい。
【産業上の利用可能性】
【００８２】
本発明は、画像表示装置、画像表示装置の動作情報告知方法、動作情報告知プログラム、および、記録媒体に利用することができる。
【図面の簡単な説明】
【００８３】
【図１】本発明の一実施形態に係る光学エンジンの光学系を示す模式平面図。
【図２】前記実施形態に係るリアプロジェクタの内部構成を示すブロック図。
【図３】前記実施形態に係るＣＰＵの機能的構成を示すブロック図。
【図４】前記実施形態に係る動作情報告知処理部の機能的構成を示すブロック図。
【図５】前記実施形態に係る制御基板の作用を説明するためのフロー図。
【図６】前記実施形態に係るエラー情報テーブルを説明するための模式図。
【図７】前記実施形態に係るメッセージテーブルを説明するための模式図
【図８】前記実施形態に係る音声内部情報の生成過程を説明するための図
【符号の説明】
【００８４】
１…リアプロジェクタ（画像表示装置）、２…光学エンジン（画像表示手段）、３…スピーカ（音声出力手段）、５…制御基板（制御手段）、５１１…入力信号取得部、５１７…音声出力制御部、６…リモートコントローラ（操作手段）、７１１…エラー診断処理部（自己診断処理部）、７１２…エラー判定部（動作状態認識部）、７１３…出力先選択部、７１５１…音声エラー情報取得部（音声生成部）、７２１…内部情報診断処理部（自己診断処理部）、７２２…出力先選択部、７２４１…音声メッセージ取得部（音声生成部）、７２４２…音声生成部（音声生成部）。
【図１】
2007309986.tif 000003
【図２】
2007309986.tif 000004
【図３】
2007309986.tif 000005
【図４】
2007309986.tif 000006
【図５】
2007309986.tif 000007
【図６】
2007309986.tif 000008
【図７】
2007309986.tif 000009
【図８】
2007309986.tif 000010